(57)【要約】  磁気コンベヤベルトモジュールは、モジュールの本体に磁気要素を一体化して被搬送物品を本体に吸引するようにしている。本体の上面の下のマグネットシートは、磁気要素を着座させ、これにより磁気要素はモジュール本体の上面と下面との間に存在することになる。リテーナがマグネットシートに係合して磁気要素をシートに保持する。【選択図】図１
2019510709.tif 000002
【特許請求の範囲】
【請求項１】
第１の端部から第２の端部へベルト移動方向の長手方向に、第１の側縁部から第２の側縁部へ横方向に、上面から反対側の底面までの厚さで延在して、かつ磁気要素を受容するための上記上面下のシートを含む上部デッキと、
前記シートに挿入された磁気要素と、
前記磁気要素を前記シート内に保持するために前記シートに係合するリテーナと、を備えるコンベヤベルトモジュール。
【請求項２】
前記シートが、前記底面に形成された凹部を備える、請求項１に記載のコンベヤベルトモジュール。
【請求項３】
前記シートが、前記第１の側側縁部から横方向内側に延在するスロットを備える、請求項１に記載のコンベヤベルトモジュール。
【請求項４】
前記リテーナが、可撓性脚部を有し、前記スロットに挿入されるように寸法決めされ構成されたキャップを備える、請求項３に記載のコンベヤベルトモジュール。
【請求項５】
前記磁気要素を保持する前記シート内に挿入されたマグネット担持体をさらに備える、請求項１に記載のコンベヤベルトモジュール。
【請求項６】
前記マグネット担持体が、前記磁気要素を前記シート内に保持するための前記リテーナを形成する可撓性の脚部を含む、請求項５に記載のコンベヤベルトモジュール。
【請求項７】
前記マグネット担持体が、前記磁気要素を前記シート内に保持するために前記上部デッキの底部に結合されたホールドダウンタブの対応する突片を受け入れるための開口部を含む、請求項５に記載のコンベヤベルトモジュール。
【請求項８】
前記磁気要素が、台形状の断面を有する、請求項１に記載のコンベヤベルトモジュール。
【請求項９】
前記シートが、摩耗ウインドウを形成する上部凹部を含む、請求項１に記載のコンベヤベルトモジュール。
【請求項１０】
前記上部デッキの前記底面から下方に延び、ヒンジロッドを受け入れるためのヒンジ開口部を含む連結要素をさらに備える、請求項１に記載のコンベヤベルトモジュール。
【請求項１１】
前記連結要素と嵌合して前記磁気要素を挟み込むことによって前記磁気要素を前記シートに保持するマグネットカバーをさらに備える、請求項１０に記載のコンベヤベルトモジュール。
【請求項１２】
前記マグネットカバーが、前記マグネットカバーを前記底面に固定するためにヒンジロッドを受け入れるためのヒンジ通路を形成するために前記連結要素ヒンジ開口部と整列するヒンジ開口部を含む、請求項１１に記載のコンベヤベルトモジュール。
【請求項１３】
前記マグネットカバーが、突起を形成するために垂直スロットを有する下方に延びる脚を含み、前記連結要素が前記突起を受けて前記マグネットカバーを前記底面に結合するように構成された空洞を含む、請求項１２に記載のコンベヤベルトモジュール。
【請求項１４】
前記マグネットカバーが、前記上部デッキに平行に延在するホールドダウンタブを含む、請求項１１に記載のコンベヤベルトモジュール。
【請求項１５】
第１の端部から第２の端部までベルト進行方向の長手方向に、第１の側縁部から第２の側縁部まで横方向に、かつ上面から反対側の底面までの厚さで延在する上部デッキと、
前記上部デッキから延び、ヒンジロッドを受け入れるための第１のヒンジ開口部を含むリンク要素と、
前記リンク要素と結合され、ヒンジ通路を形成するために前記第１のヒンジ開口部と整列した第２のヒンジ開口部を含むマグネットカバーと、
前記上部デッキと前記マグネットカバーとの間に挟まれた磁気要素と、
マグネットカバーを上部デッキに対して固定するために前記ヒンジ通路に挿入されたヒンジロッドと、を備えるコンベヤベルトモジュール。
【請求項１６】
第１の端部から第２の端部までベルト進行方向に長手方向に、第１の側縁部から第２の側縁部まで横方向に、かつ上面から反対側の底面までの厚さで延在する上部デッキと、
上面の下の前記第１の側縁部から前記上部デッキ内に横方向に延びるスロットと、
前記スロットに挿入された磁気要素と、
スロットに前記磁気要素が前記スロットから抜けるのを防止するための前記スロット内に挿入された自己保持リテーナと、を備えたコンベヤベルトモジュール。
【請求項１７】
前記自己保持リテーナが、可撓性脚部を有するキャップを備え、前記キャップが前記スロットに挿入されるように寸法決めされ構成されている、請求項１６に記載のコンベヤベルトモジュール。
【請求項１８】
前記自己保持リテーナが、前記磁気要素を保持する前記スロット内に挿入され前記スロットに係合するための可撓性脚部を含むマグネット担持体を備え、これにより前記マグネット担持体が前記スロット内に保持される、請求項１に記載のコンベヤベルトモジュール。
【請求項１９】
第１の端部から第２の端部までベルト進行方向の長手方向に、第１の側縁部から第２の側縁部まで横方向に、かつ上面から反対側の底面までの厚さで延在する上部デッキと、
前記上面の下の前記第１の側縁部から上部デッキ内に横方向に延びるスロットと、
前記スロットに挿入されそこに着座している磁気要素を含むマグネット担持体と、
前記マグネット担持体を前記スロット内に保持するためのリテーナと、を備えるコンベヤベルトモジュール。
【請求項２０】
前記リテーナは、前記マグネット担持体の端部に可撓性の脚部を備える、請求項１９に記載のコンベヤベルトモジュール。
【請求項２１】
前記リテーナは、前記上部デッキに結合されたホールドダウンタブ部分の突片を受け入れるための垂直開口部を含む、請求項１９に記載のコンベヤベルトモジュール。
【請求項２２】
第１の端部から第２の端部までベルト進行方向の長手方向に、第１の側縁部から第２の側縁部まで横方向に、かつ上面から反対側の底面までの厚さで延在して、かつ磁気要素を受容するためのシートを前記上面の下に含む上部デッキと、
前記第１の端部から延びてヒンジ開口部を含む第１の連結部分と、
前記上部デッキの第２の端部上の第２の連結部分であって、隣接するモジュールの第１の連結部分を受け入れるための中央凹部と、前記中央凹部の両側の底面から下方に伸びる脚部であって、整列されたヒンジ開口部を含む脚部とを備える第２連結部分と、
前記上面の下の前記上部デッキに形成されたマグネットシートと、
前記マグネットシートに挿入された磁気要素と、
前記第２の連結部分に結合された少なくとも１つのホールドダウンタブ部分であって、前記第２の連結部分の前記ヒンジ開口部と整合するヒンジ開口部を有する脚部と、前記脚部から延在するホールドダウンタブとを含む、少なくとも１つのホールドダウン部分と、を備える、請求項１にコンベヤベルトモジュール。
【請求項２３】
前記ホールドダウンタブ部分が、前記磁気要素を前記マグネットシートに保持するためのリテーナを形成する、請求項２２に記載のコンベヤベルトモジュール。
【請求項２４】
前記マグネットシートが、上部摩耗ウインドウを含む、請求項２２に記載のコンベヤベルトモジュール。
【請求項２５】
前記磁気要素が、台形形状を有する、請求項２２に記載のコンベヤベルトモジュール。
【発明の詳細な説明】
【技術分野】
【０００１】
［関連出願］
本出願は、２０１６年４月６日に出願された「磁気コンベヤベルトモジュール」と題する米国仮特許出願第６２／３１８，８３６号と、２０１６年９月２１日に出願された「磁気コンベヤベルトモジュール」と題する米国仮特許出願第６２／３９７，５９０号両出願の内容は、参照により本明細書に組み込まれる。
【０００２】
本発明は、一般的にパワー駆動コンベヤに関し、より詳細には、金属吸着特性または強磁性特性を有するモジュラー・プラスチックコンベヤベルトに関する。
【背景技術】
【０００３】
コンベヤはしばしば物品の移送に使用される。金属またはパン焼成用天板（ｂａｋｅｒｙ  ｐａｎ）のような磁気吸着性物品を移送するために，磁気吸着性物品をコンベヤー上に保持するための磁気要素を含むコンベヤが使用されてきた。磁気要素をコンベヤー内に一体化させることは煩雑なことがある。
【０００４】
モジュラー・プラスチックコンベヤベルトは、様々な産業で製品を移送するために広く使用されている。モジュラー・プラスチックコンベヤベルトは、互いに連結されたベルトモジュールの一連の列から構成され、無端コンベヤベルトループを形成する。
【発明の概要】
【０００５】
磁気コンベヤベルトモジュールは、本体と、磁気要素と、本体に結合された磁気要素のためのホルダまたはカバーとを備える。このモジュールは、磁気要素をモジュールに容易かつ取り外し可能に一体化することを可能にする。マグネット担持体またはカバーは、モジュール本体に結合して磁気要素をモジュール本体の底面とモジュール本体の上面との間で挟む。一実施形態では、マグネットカバーはホールドダウンタブを含む。マグネットカバーの一実施形態は、マグネットカバーをモジュール本体に固定するためにヒンジロッドを受け入れるためのヒンジ通路を形成するためにモジュール本体内のヒンジ開口部と整列するヒンジ開口部を含む。
【０００６】
一態様によれば、コンベヤベルトモジュールは、上部デッキと、上部デッキ内のシートに挿入された磁気要素と、磁気要素をシート内に保持するためのリテーナとを備える。上部デッキは、第１の端部から第２の端部までベルトの走行方向の長手方向に、第１の側縁部から第２の側縁部まで横方向に、そして上面から反対側の底面までの厚さで延在している。シートは、上面の下に形成される。
【０００７】
別の態様によれば、コンベヤベルトモジュールは、第１の端部から第２の端部までベルトの走行方向の長手方向に、第１の側縁部から第２の側縁部まで横方向に、そして上面から反対側の底面までの厚さで延在している上部デッキと、上部デッキから延びかつヒンジロッドを受け入れるための第１のヒンジ開口部を含む連結要素と、を備えている。モジュールは、連結要素に結合され、かつヒンジ通路を形成するために第１のヒンジ開口部と整列した第２のヒンジ開口を含むマグネットカバーをさらに備える。磁気要素が、上部デッキとマグネットカバーとの間に挟まれている。ヒンジ通路に挿入されたヒンジロッドは、マグネットカバーを上部デッキに対して固定する。
【０００８】
別の態様によれば、コンベヤベルトモジュールは、第１の端部から第２の端部までベルトの走行方向の長手方向に、第１の側縁部から第２の側縁部まで横方向に、そして上面から反対側の底面までの厚さで延在している上部デッキと、上面の下の第１の側縁部から上部デッキ内に横方向に延びるスロットと、スロットに挿入された磁気要素と、磁気要素がスロットから抜けるのをを防止するためのスロット内に挿入された自己保持するリテーナと、を備える。
【０００９】
別の態様によれば、コンベヤベルトモジュールは、第１の端部から第２の端部までベルトの走行方向の長手方向に、第１の側縁部から第２の側縁部まで横方向に、かつ上面から反対側の底面までの厚さで延在している上部デッキを備える。スロットは、上面の下の第１側縁部から上部デッキ内に横方向に延びる。磁気要素をその中に着座させて含むマグネット担持体がスロット内に挿入される。モジュールは、マグネット担持体をスロット内に保持するためのリテーナをさらに含む。
【図面の簡単な説明】
【００１０】
本発明のこれらの特徴および態様ならびにその利点は、以下の明細書、添付の特許請求の範囲、および添付の図面を参照することにより、よりよく理解される。
【図１】本発明の例示的な実施形態による磁気コンベヤベルトモジュールの分解図である。
【図２】図１の磁気コンベヤベルトモジュールの等角組立図である。
【図３】図２の磁気コンベヤベルトモジュールの上面図である。
【図４】図２の磁気コンベヤベルトモジュールの側面図である。
【図５】図２の磁気コンベヤベルトモジュールの正面図である。
【図６】マグネットが所定の位置に挿入された状態の図２の磁気コンベヤベルトモジュールの本体の底面図である。
【図７】マグネットがない状態の図２の磁気コンベヤベルトモジュールの本体の底面図である。
【図８】本発明の別の実施形態による磁気コンベヤベルトモジュールの分解図である。
【図９】図8の磁気コンベヤベルトモジュールの一部分の拡大図である。
【図１０】図８の組み立てられた磁気コンベヤベルトモジュールの等角図である。
【図１１】図１０の磁気コンベヤベルトモジュールの側面図である。
【図１２】図１０の磁気コンベヤベルトモジュールの上面図である。
【図１３】図１０の磁気コンベヤベルトモジュールの正面図である。
【図１４】図１０の磁気コンベヤベルトモジュールの底面図である。
【図１５】本発明の別の実施形態による磁気コンベヤベルトモジュールの分解図である。
【図１６】図１５の組み立てられた磁気コンベヤベルトモジュールの等角図である。
【図１７】図１６の磁気コンベヤベルトモジュールの側面図である。
【図１８】図１６の磁気コンベヤベルトモジュールの上面図である。
【図１９】図１６の磁気コンベヤベルトモジュールの背面図である。
【図２０】本発明の別の実施形態による磁気コンベヤベルトモジュールの分解図である。
【図２１】図１６の組み立てられた磁気コンベヤベルトモジュールの等角図である。
【図２２】図２０の磁気コンベヤベルトモジュールの側面図である。
【図２３】図２０の磁気コンベヤベルトモジュールの底面図である。
【図２４】本発明の別の実施形態による磁気コンベヤベルトモジュールの分解図である。
【図２５】磁気要素用のシート内に摩耗ウィンドウを含む磁気コンベヤベルトモジュールの下部側面図である。
【図２６】本発明の一実施形態による磁気コンベヤベルトモジュールに使用するのに好適な台形状磁気要素の等角図である。
【発明を実施するための形態】
【００１１】
複数の連結されたモジュールにより形成されたコンベヤベルトは、被搬送物品をコンベヤベルトの搬送面に対して吸着するために磁気要素を一体化する。本発明は、ある特定の例示的な実施形態を元にして以下に記載されるが、当業者は本発明が記載された実施形態に限定されないことを認識するであろう。
【００１２】
図１−図５は、コンベヤベルト（「チェーン」としても知られている）を形成するのに適した磁気コンベヤベルトモジュール１０（「リンク」としても知られる）の一実施形態を示す。モジュール１０は、磁気吸着物品の搬送を容易にするために磁気要素２０を一体化する。例示的なモジュールは、本体１１と、本体の底部に結合された磁気要素２０と、本体１１に形成されたマグネットシート内に磁気要素２０を固定するためのマグネットカバーを形成する１つ以上のホールドダウンタブ部６０とを備える。例示的な磁気コンベヤベルトモジュール１０は、半径方向または側方屈曲性フレキシブルコンベヤベルトを形成するために使用することができるが、本発明がそのように限定されるものではない。複数のコンベヤベルトモジュールは、同じ速度または異なる速度で並んで走行することもできる。例えば、サイドバイサイドベルトまたはモジュールは、例えばパン製作用平皿など、コンベヤー上の物体を回転させるために異なる速度で走行することができる。
【００１３】
本体１１は、一般には平面の上部デッキ３０と、前部連結部分および後部連結部分５０，４４とを含む。上部デッキ３０は、第１の端部３４から第２の端部３５まで長手方向に延びている。長手方向は、このようなモジュールがモジュラーコンベヤベルトに組み込まれるときのベルト進行の方向である。モジュールデッキ３０は、第１の側縁部３６から第２の側縁部３７まで横方向に延びている。厚さにおいて、モジュールデッキは、被搬送物品がその上に乗せられる搬送面を形成する、上面３８から反対面３９まで延びている。底面３９は、凹部または他の特徴部を含んでもよい。
【００１４】
連結部分を使用してコンベヤベルトを形成するために隣接するモジュールを互いに連結することができる。デッキ３０の第２の端部３５は、後端部３５で上面３８から後方および下方に延びる後端側連結部分４４を形成する。例示的な後端側連結部分４４は、第２の端部の中心にあるが、本発明は連結部分の位置、構成および数に限定されない。デッキ３０の前端部３４は面取りされており、隣接する先導モジュールの後端側連結部分４４を受けるための中央凹部４２を含む。例示的な前端部３４はまた、連結されたモジュールの相対的な動きを可能にするように湾曲しているが、本発明はそのように限定されない。モジュール１０の本体１１はさらに、凹部４２の各側にデッキ３０の底部から下方に延びる脚部を含む前部連結部分５０を含む。前部連結部分５０は、ヒンジピンを受けるように構成された整列開口部５２を含む。後端側連結部分４４は、モジュールの後端側連結部分４４が後方モジュールの連結部分５０の間の開口部４２に受け入れられるときに後方モジュールの開口部５２と整列する開口部４６を含む。隣接するモジュールを互いに連結するために、整列した開口部４６，５２にヒンジピンを挿入してもよい。
【００１５】
マグネットカバー６０は、磁気吸着物品を上面３８に引き込むために、またはモジュールを搬送面の方に向かって引き込むようにまたは引き離すといった他の目的のために、１つまたは複数の磁気要素２０をモジュールの一体化を可能にする。例示的なマグネットカバー６０は、２つのセクション６０ａ、６０ｂを備え、それぞれが上部デッキ３０とマグネットカバー６０との間に磁気要素２０を挟むために本体の前部連結要素５０と嵌合するように構成されている。マグネットカバーセクション６０ａ、６０ｂは互いの胸像になっている。各マグネットカバー６０ａ、６０ｂは、磁気要素２０を受容して着座するように構成された凹部６３を有する上面６２を含む。
【００１６】
各マグネットカバー６０は、連結部分５０と嵌合する下方に延びる脚部６４を含む。各脚部６４は、カバーをモジュール本体に固定するためにヒンジロッドを受け入れるためのヒンジ通路を形成するために開口部５２と整列する開口部６６を含む。
【００１７】
図６および図７に示すように、各前部連結部分５０は中空であり、シェル５３により囲まれた中央中空部５５を備える。中空部５５は、前部連結部分の底面５１に開放している。デッキ底面３９は、中空部５５内に延びる凹部５４を含むことができる。中空部５５は対応するマグネットカバー６０内の凹部６３と協働してマグネット要素２０を収容するための区画を形成する。中間面５６は、底面３９と凹部５４との間でデッキ３０内に形成される。上部搬送面が磁気要素の一体化状態でも不変で連続なままであるように凹部５４は上面３８の下、デッキの本体内に形成されている。モジュールが組み付けられるとき、マグネットカバー６０の上面６２が中間面５６に当接して凹部６３と凹部５４との間に磁気要素２０を収容するための閉鎖マグネット区画を形成する。マグネットカバーはシート５４に係合して、その中に磁気要素を固定する。
【００１８】
マグネットカバーの各脚部６４は、中空部５５内に受け入れられるインサート６８を形成する突出部を画定するために垂直、長手方向に延びるスロット６５を含む。インサートの上部はマグネット要素用の凹部の一部分を形成し、かつインサートの前部はヒンジ通路の一部分を形成する半円形の凹部６７を含む。スロット６５と突起６８の前方の空間は、シェル５３との境界をなすように構成された、連結部分の底面５１のためのシェルフ６９を形成する。スロット６５は、磁気モジュールが組み付けられるときに前部連結部分５０を形成するシェル５３の壁を受け入れる。
【００１９】
ホールドダウンタブ７０は、各脚部６４の底部から外側に突出している。ホールドダウンタブ７０は、コンベヤベルトの搬送面の特徴部と係合して、コンベヤベルトが動作中に上昇することを防止し、かつ磁気コンベヤベルトモジュール１０が組み立てられたときに上部デッキ３０に略平行に延びる。ホールドダウンタブ７０は、コンベヤベルト搬送面側にある内側つば付き摩耗ストリップと係合して動作中にベルトが引き上げられるのを防止する。ホールドダウンタブ７０はまた、逆さまにして走行するときにコンベヤベルトを定位置に保持するためにも使用することができる。この場合、磁気要素は、重力の引っ張りに抗してベルトの下側の製品の保持を助ける。
【００２０】
磁気コンベヤベルトモジュール１０を組み立てるために、磁気要素２０はマグネットカバー６０の凹部６３内に、またはデッキ３０の下の凹部５４内に挿入される。次に、マグネットカバー６０ａ、６０ｂは、連結要素５０と嵌合するい、これによりインサート６８が連結部分５０の中空部５５に挿入され、かつ開口部５２,６６が整列する。磁気要素２０は、デッキ３０の底面３９内のの凹部５４とマグネットカバー６０ａ、６０ｂとの間に保持される。次に、ヒンジロッドまたは他のホルダが開口部５２，６６によって形成されたヒンジ通路にを挿入されて、マグネットカバーをデッキの底面に対して固定して、磁気要素２０が抜け出すのを防止する。
【００２１】
モジュールは、好ましくは、射出成形プロセスにおいて、ポリプロピレン、ポリエチレン、アセタール、ナイロンのような熱可塑性ポリマー、または複合ポリマーで作製される。このようにして作製されたプラスチックコンベヤベルトモジュールは、米国、ルイジアナ州、ハラハン市にあるＩｎｔｒａｌｏｘ，Ｌ．Ｌ．Ｃ．から市販されている。別の実施形態では、モジュールは、ステンレス鋼または他の適切な材料で形成される。
【００２２】
モジュール１０をいくつも使用してコンベヤベルトを形成する。ベルトは一連の列のエッジ−エッジ・ベルトモジュールを備えている。異なる横幅のモジュールを使用して、レンガ積みのパターンでベルトを構成する。しかし、ベルトの全幅に延びる幅広のモジュールを代わりに使用することもできる。ベルトは、磁気モジュールと非磁気モジュールとの組み合わせを備えることができる。列は、隣接する列の間でインターリーブされたヒンジアイにおける整列した開口によって形成された通路を横方向に貫通するヒンジロッドによって相互接続されている。ベルトは、コンベヤーのアパー・搬送路部分に沿ってモジュールの搬送面３８の上で物品を搬送する。ベルトは、搬送路の両端に取り付けられたスプロケットの周りに巻き掛けられ、搬送路の下のリターンウェイに沿って戻る。マグネットカバーを使用して磁気要素の一体化後に、またはマグネットカバーを使用して磁気要素の一体化と同時に、モジュールを連結してベルトを形成することもできる。
【００２３】
図８−図１４は、コンベヤベルトまたは「チェーン」を形成するのに適した磁気コンベヤベルトモジュール１１０または「リンク」の別の実施形態を示す。モジュール１１０は、磁気吸着物品の搬送を容易にするために、一対の磁気要素１２０を一体化する。モジュール１１０は、磁気要素１２０を着座させるようにサイズが決められかつ構成されたスロットを形成するために、上部デッキ１３０の側縁から上部デッキ１３０内に延びる横方向開口部１３１を含む。横方向開口部１３１は、デッキの上面が平滑で連続的なままであるようにデッキの上面の下で、デッキの本体内に延在する。上部デッキは、上述したように、前部連結部分および後部連結部分１５０，１４４を含む。モジュール１１０は、磁気要素を上部デッキ１３０内に保持するために、横方向開口部１３１をキャッピングするための挿入可能なキャップ１８０として図示された、リテーナをさらに含む。
【００２４】
例示的なキャップ１８０は自己保持性である。一実施形態では、図９に示すように、キャップ１８０は、本体１８１から延びる可撓性の脚部１８２を含む。可撓性の脚部１８２は、スロット１３１への挿入を可能にするために圧縮され、次いで、キャップをスロット１３１内に固定するために弾け戻る。キャップ１８０は、キャップが誤って抜け出てきた場合にエンドユーザを保護するために、検知可能なプラスチック材料から成型できるか、または鋳造金属インサートを備えることができる。
【００２５】
例示的な実施形態では、スロット１３１はキャップ１８０の保持を容易にするために、上壁および側壁に凹部を含む。例示的な凹部１３２，１３３，１３４は、四角の隅部を有する矩形であるが、本発明はそのように限定されない。キャップ１８０は、凹部と界接するように構成されたタブを含む。例えば、外側脚部は、側凹部１３２，１３３内に受容されるタブ１８４を含む。側タブ１８４は、挿入を容易にするために傾斜した外壁を有する。キャップの本体１８１は、上部凹部１３４内に受容される上部突起１８７と、側凹部１３２，１３３に嵌合する側部突起１８５，１８６とを含む。スロット１３１およびキャップ１８０の例示的な底面は平坦であり、本発明はそのように限定されない。
【００２６】
モジュール１１０は、上部デッキ部分１３０に結合されたホールドダウンタブ部分１７０ａ、１７０ｂをさらに含む。各ホールドダウンタブは、前部連結要素５０に結合する本体１７１と、本体１７１から横方向外側に延びる垂直タブ部分１７２を含む。
【００２７】
ホールドダウンタブ部分１７０ａ、１７０ｂは互いに鏡像関係にある。本体１７１は、チャネル１７３と、上部デッキ１３０の前部連結要素と嵌合するためのヒンジ開口部１７４とを含む。ホールドダウンタブ部分１７０ａ、１７０ｂは、上部デッキおよびホールドダウンタブ部分のヒンジ開口部を通して挿入されたヒンジロッドを使用して上部デッキ部分１３０に対して保持される。
【００２８】
図１５−図１９は、コンベヤベルトまたは「チェーン」を形成するのに適した磁気コンベヤベルトモジュール２１０または「リンク」の別の実施形態を示す。モジュール２１０は、磁気吸着物品の搬送を容易にするために、または別の目的で２対の磁気要素２２０を一体化する。モジュール２１０は、磁気要素を着座させるための上部デッキの側縁から内側に延びる横方向の開放スロット２３１を含む。スロット２３１は、上部デッキ２３０の底部まで開放しているが、デッキの上面の下に開放していて、これにより上部デッキは平滑で連続的なままである。上部デッキは、上述したように、前部連結部分および後部連結部分２５０，２４４を含む。モジュール２１０は、横方向の開放スロット２３１に収まるように寸法決めされ構成された磁気要素担持体２６０をさらに含む。各担持体２６０は、磁気要素２２０を受け入れて着座するための上部凹部２６１を有する本体を備える。
【００２９】
担持体２６０は、上部デッキ内で担持体を保持するためのリテーナを含む。図１５〜図１９の実施形態では、各担持体の内側部分２６２は、担持体および磁気要素２２０をスロット２３１内に保持するために上部デッキに結合されたホールドダウンタブ部分２７０ａまたは２７０ｂと係合するように構成されている。例えば、例示的な内側部分２６２はそれぞれ段差を設けた底面と、段差を設けた底面から担持体の上面まで本体を貫通して延びる垂直開口部２６４とを有する。ホールドダウンタブ部分２７０ａ、２７０ｂは、頂部突片２７２を含む点を除いては、ホールドダウンタブ１７０ａ、１７０ｂと同様に構成される。頂部突片２７２は、磁気要素担持体２６０を定位置に保持するためにホールドダウンタブが上部デッキ２３０部分に結合されるときに垂直開口部２６４に挿入されるように構成されている。ホールドダウンタブ部分２７０ａ、２７０ｂを上部デッキ２３０に固定するために、いったんヒンジロッドが整列した開口部を通って挿入されると、磁気要素担持体も同様に上部デッキ２３０に固定されるようになる。
【００３０】
図２０〜図２３は、コンベヤベルトまたは「チェーン」を形成するのに適した磁気コンベヤベルトモジュール３１０または「リンク」の別の実施形態を示す。モジュール３１０は、磁気吸着物品の搬送を容易にするために、または別の相応しい目的のために２対の磁気要素３２０を一体化する。モジュール３１０は、磁気要素を着座させるための上部デッキ３３０内に横方向スロット３３１を含む。横方向スロットは、デッキの上面の下で、側縁から上部デッキの本体内に延びる。上部デッキ３３０は、上述したように、前部連結部分および後部連結部分３５０，３４４を含む。モジュール３１０は、横方向スロット３３１に嵌まるように寸法決めされ構成された磁気要素担持体３６０をさらに含む。
【００３１】
各担持体３６０は、磁気要素３２０をそれぞれ受容して着座するように構成された上部凹部３６１を有する本体を含む。例示的な担持体３６０は、自己保持型であるが、別個のリテーナを代わりに使用することもできる。例示的な担持体３６０の内側端部は、収容された磁気要素をモジュール３１０内に固定するための自己保持特徴部を形成する突刺の付いた可撓性の脚部３６２を含む。突刺の付いた可撓性脚部３６２は圧縮して、スロット３３１を通って担持体２６０の挿入を可能にする。脚部３６２は、スロットの側壁に抗して、またはスロット３３１内の停止部に抗して弾け開き、図２３に示すように、担持体がスロットから逆戻りしないように防止する。上述したように、１つまたは複数のホールドダウン部分（図示せず）を上部デッキ３３０に結合してもよい。
【００３２】
図２４は、コンベヤベルトまたは「チェーン」を形成するのに適した磁気コンベヤベルトモジュール４１０または「リンク」の別の実施形態の図示のさらに別の実施形態を示す。モジュール４１０は、磁気吸着物品の搬送を容易にするために、または別の相応しい目的のために磁気要素４２０を一体化する。モジュール４１０は、磁気要素を受け入れて着座させるために、上部搬送面の下で、上部デッキの底面に横方向に延びる凹部４３１を含む。各凹部４３１は、磁気要素および端部隅部を着座させるようにサイズ設定され構成された主凹部を含む。下部ホールドダウンタブ部分４７０ａ、４７０ｂはそれぞれ対応する磁気要素用のカバー４７１を含む。カバーは、スロット４３１の端部隅部に受け入れられるように構成された端部タブ４７２を含む。ホールドダウンタブ部分４７０ａ、４７０が上部デッキに結合され、ヒンジロッドがヒンジ開口部を通して挿入されると、カバー４７１はスロット４３１内の磁気要素４２０を確実に覆う。
【００３３】
磁気吸着物品の搬送を容易にするために磁気要素を一体化する磁気コンベヤベルトモジュールは、摩耗ウィンドウを含むことができる。例えば、図２５は、磁気要素用のシートを形成するスロット５３１を含む磁気コンベヤベルトモジュール５１０の一実施形態を示す。スロットは、磁気要素を直接着座させてもよい、あるいは磁気要素を収容する担持体を着座させてもよい。スロットの頂部は、摩耗ウインドウを形成する凹部５３２を含む。モジュールの上面５３３が摩耗すると、ウインドウ５３２は着座した磁気要素の前に露出する。これは、磁気要素が完全に露出して、かつ潜在的にモジュールから抜けてしまうことが可能になる前にモジュールを交換する時であることをユーザに警告することができる。
【００３４】
磁気担持体および磁気担持体を受容するためのモジュール内のレシーバは、任意の適切なサイズ、形状および構成を有することができる。例えば、図２６に示すような本発明の別の実施形態によれば、磁気要素６２０は、底部よりも細い上部を有する台形状の断面を有することができる。台形状の磁気要素は、モジュール内の台形状の凹部または他の磁気要素シートに着座している。磁気要素の台形形状は、いったんモジュールの上面が摩耗して穴が開いてしまって磁気要素が露出したら、磁気要素が抜けることを防止する。このようにして、磁気要素が露出していても、アンダーカットは磁気要素がモジュールから抜けるのを防止する。
【００３５】
本発明の別の実施形態では、モジュールは、射出成形を使用したモジュールの成形中に添加される磁化可能材料を含む。磁気要素をコンベヤベルトモジール内に一体化するために磁化可能材料を成形型内で磁化させることができる。一実施形態では、カバーは磁化可能なプラスチックから成形され、次いで、モジュール本体に挿入されるか、またはモジュール本体上にオーバーモールドされる。次いで、磁気要素をコンベヤベルトモジュール内に一体化するために磁化可能なプラスチックを磁化してもよい。
【００３６】
本発明を、いくつかの例示的なバージョンを参照して詳細に説明したが、他のバージョンも可能である。特許請求の範囲は、詳細に記載されたバージョンに限定されるものではない。
【図１】
2019510709.tif 000003
【図２】
2019510709.tif 000004
【図３】
2019510709.tif 000005
【図４】
2019510709.tif 000006
【図５】
2019510709.tif 000007
【図６】
2019510709.tif 000008
【図７】
2019510709.tif 000009
【図８】
2019510709.tif 000010
【図９】
2019510709.tif 000011
【図１０】
2019510709.tif 000012
【図１１】
2019510709.tif 000013
【図１２】
2019510709.tif 000014
【図１３】
2019510709.tif 000015
【図１４】
2019510709.tif 000016
【図１５】
2019510709.tif 000017
【図１６】
2019510709.tif 000018
【図１７】
2019510709.tif 000019
【図１８】
2019510709.tif 000020
【図１９】
2019510709.tif 000021
【図２０】
2019510709.tif 000022
【図２１】
2019510709.tif 000023
【図２２】
2019510709.tif 000024
【図２３】
2019510709.tif 000025
【図２４】
2019510709.tif 000026
【図２５】
2019510709.tif 000027
【図２６】
2019510709.tif 000028
【国際調査報告】
2019510709.tif 000029
2019510709.tif 000030